(57)【特許請求の範囲】
【請求項１】
第１のネットワーク装置に接続され、該第１のネットワーク装置以外の第２のネットワーク装置に接続されている他のトランシーバとの通信を行うトランシーバであって、
前記他のトランシーバと、有線接続により通信を行う有線通信手段と、
前記他のトランシーバと、無線接続により通信を行う無線通信手段と、
前記第１のネットワーク装置に前記有線通信手段による通信を行わせている際に、該有線接続経路上での障害発生を検知した場合に前記無線通信手段による通信に切り替えると共に前記他のトランシーバに対して有線接続経路上での障害を検知した旨を送出する第１の障害検知手段と、
前記第１のネットワーク装置に前記有線通信手段による通信を行わせている際に、前記他のトランシーバから有線接続経路上での障害を検知した旨を受信した場合に前記無線通信手段による通信に切り替える第２の障害検知手段と、
前記第１のネットワーク装置に前記無線通信手段による通信を行わせている際に、前記有線接続経路上での障害発生を検知しなくなった場合又は前記他のトランシーバからの障害を検知した旨を検知しなくなった場合に前記有線通信手段による通信に切り替える障害検知制御手段と、
を備えると共に、
当該トランシーバと前記他のトランシーバは共通する無線設定を有しており、該両トランシーバ以外の異なる無線設定を有する装置からの無線通信は拒否することを特徴とするトランシーバ。
【請求項２】
請求項１に記載のトランシーバであって、
前記有線通信とは光信号を光回線上で送受信する通信方式であり、
前記光信号を受信する光入力手段と、
前記受信した光信号をデジタル信号に変換する信号変換手段と、
前記変換後の信号を監視することにより前記有線接続経路上での障害の検知を行うＬＯＳ検知手段と、
を更に備えることを特徴とするトランシーバ。
【請求項３】
請求項１に記載のトランシーバであって、
前記有線通信とは電気信号をメタル回線上で送受信する通信方式であり、
前記電気信号を受信する入力手段と、
前記電気信号の有無を確認し、前記電気信号が存在しない場合に前記有線接続経路上で障害が発生したことを検知するメタル回線手段と、
を更に備えることを特徴とするトランシーバ。
【請求項４】
請求項１乃至３の何れか１項に記載のトランシーバであって、
前記第１の障害検知手段による前記障害を検知した旨の送出は、所定の送信間隔により定期的に行われ、
前記障害検知制御手段は、前記第１のネットワーク装置に前記無線通信手段による通信を行わせている際に、前記所定の送信間隔よりも長い時間前記他のトランシーバからの障害を検知した旨を検知しなくなった場合に前記有線通信手段による通信に切り替えることを特徴とするトランシーバ。
【請求項５】
請求項１乃至４の何れか１項に記載のトランシーバであって、
前記無線通信手段による前記他のトランシーバとの通信は、中継装置を介すことなく当該トランシーバと前記他のトランシーバとの間で行われる直接の通信であることを特徴とするトランシーバ。
【請求項６】
請求項１乃至６の何れか１項に記載のトランシーバであって、
当該トランシーバは複数の前記無線設定を記憶しており、無線通信において実際に利用する無線設定を前記複数の無線設定のなかから選択するためのスイッチを更に備えることを特徴とするトランシーバ。
【請求項７】
第１のネットワーク装置に接続された第１のトランシーバと、該第１のネットワーク装置以外の第２のネットワーク装置に接続されている第２のトランシーバと、を含み、該第１のトランシーバ及び第２のトランシーバ間で通信を行う通信システムにおいて、
前記第１のトランシーバ及び第２のトランシーバの双方又は片方が請求項１乃至６の何れか１項に記載のトランシーバであることを特徴とする通信システム。
【請求項８】
第１のネットワーク装置に接続され、該第１のネットワーク装置以外の第２のネットワーク装置に接続されている他のトランシーバとの通信を行うトランシーバが行う通信方法であって、
前記他のトランシーバと、有線接続により通信を行う有線通信ステップと、
前記他のトランシーバと、無線接続により通信を行う無線通信ステップと、
前記第１のネットワーク装置に前記有線通信ステップによる通信を行わせている際に、該有線接続経路上での障害発生を検知した場合に前記無線通信ステップによる通信に切り替えると共に前記他のトランシーバに対して有線接続経路上での障害を検知した旨を送出する第１の障害検知ステップと、
前記第１のネットワーク装置に前記有線通信ステップによる通信を行わせている際に、前記他のトランシーバから有線接続経路上での障害を検知した旨を受信した場合に前記無線通信ステップによる通信に切り替える第２の障害検知ステップと、
前記第１のネットワーク装置に前記無線通信ステップによる通信を行わせている際に、前記有線接続経路上での障害発生を検知しなくなった場合又は前記他のトランシーバからの障害を検知した旨を検知しなくなった場合に前記有線通信ステップによる通信に切り替える障害検知制御ステップと、
を備えると共に、
当該トランシーバと前記他のトランシーバは共通する無線設定を有しており、該両トランシーバ以外の異なる無線設定を有する装置からの無線通信は拒否することを特徴とする通信方法。
【発明の詳細な説明】
【技術分野】
【０００１】
本発明は、ＳＦＰ（Small Form-factor Pluggable）トランシーバ等のトランシーバにおける通信断の回避に関する。
【背景技術】
【０００２】
ネットワーク装置にトランシーバを実装し、トランシーバ間をファイバケーブル等で有線接続することにより通信を実現する、という技術が存在する。例えば、近年、ＳＦＰポートを装備するネットワーク装置が増えてきている。そして、ＳＦＰトランシーバは、対向ＳＦＰトランシーバとファイバケーブルの配線により接続する。
【０００３】
このような、ＳＦＰトランシーバを利用した技術の一例が特許文献１に記載されている。
【先行技術文献】
【特許文献】
【０００４】
【特許文献１】特開２００４−２２２２９８号公報
【発明の概要】
【発明が解決しようとする課題】
【０００５】
特許文献１に記載の技術等を利用することによりＳＦＰトランシーバ間を有線接続し、通信を行うことが可能となる。しかしながら、特許文献１に記載の技術等の一般的な技術では、後述するような問題が発生する。
【０００６】
ＳＦＰトランシーバは、対向ＳＦＰトランシーバとファイバケーブルの配線により接続する。しかし、物理障害によるケーブルの断線やヒューマンエラーによるケーブルの抜線により、ＳＦＰトランシーバ間の接続が不本意に切断してしまう危険性がある。
【０００７】
このようなケーブルの障害による通信断を回避するため、主回線とは別の物理ポートを副回線として設けることが考えられる。
【０００８】
しかし、副回線を設けることで、使用する物理ポートが副回線分増える。また、ＳＦＰトランシーバの変更により物理回線を変更できるが、主流のＳＦＰトランシーバは、衝撃に弱いファイバケーブルを使用するため、配線管理に特に気をつけなければならない。更に、ファイバケーブルの副回線を設ける場合、配線管理も副回線分必要となる。
【０００９】
この点について図１を参照して具体例に基づいて説明する。図１では、ネットワーク装置であるＳＷＡ１１とＳＷＢ１２が主回線により直接接続されている。また、ＳＷＡ１１とＳＷＢ１２はＳＷＣ１３を介した副回線によっても接続されている。
【００１０】
１．まず、主回線においてケーブル切断が発生したとする。
【００１１】
２．この場合、ＳＷＡ１１は、光ファイバケーブルの物理障害に起因して回線切替を行い、副回線によりＳＷＢ１２と通信を継続する。
【００１２】
３．そして、更に副回線においてもケーブル切断が発生したとする。
【００１３】
４．この場合、ＳＷＢ１２との経路は存在しなくなり、通信は継続できなくなる。この事態を防止するためには、更に副回線の数を増やす必要がある。
【００１４】
つまり、一般的な回線障害対策では、主回線以外の物理ポートを副回線専用として設けるが、装置内の使用可能なポート数は副回線分減ることとなるという問題が生じる。また、副回線専用ポートを設けることで、主回線と同様に副回線もケーブルの配線や設定などの運用管理が必要となるという問題が生じる。
【００１５】
そこで、本発明は、主回線以外に物理ポートを占有せず、また、ケーブルの配線等の考慮をすることなく副回線を設けることが可能な、副回線を搭載したトランシーバ、通信システム及び通信方法を提供することを目的とする。
【課題を解決するための手段】
【００１６】
本発明の第１の観点によれば、第１のネットワーク装置に接続され、該第１のネットワーク装置以外の第２のネットワーク装置に接続されている他のトランシーバとの通信を行うトランシーバであって、前記他のトランシーバと、有線接続により通信を行う有線通信手段と、前記他のトランシーバと、無線接続により通信を行う無線通信手段と、前記第１のネットワーク装置に前記有線通信手段による通信を行わせている際に、該有線接続経路上での障害発生を検知した場合に前記無線通信手段による通信に切り替えると共に前記他のトランシーバに対して有線接続経路上での障害を検知した旨を送出する第１の障害検知手段と、前記第１のネットワーク装置に前記有線通信手段による通信を行わせている際に、前記他のトランシーバから有線接続経路上での障害を検知した旨を受信した場合に前記無線通信手段による通信に切り替える第２の障害検知手段と、前記第１のネットワーク装置に前記無線通信手段による通信を行わせている際に、前記有線接続経路上での障害発生を検知しなくなった場合又は前記他のトランシーバからの障害を検知した旨を検知しなくなった場合に前記有線通信手段による通信に切り替える障害検知制御手段と、を備えると共に、当該トランシーバと前記他のトランシーバは共通する無線設定を有しており、該両トランシーバ以外の異なる無線設定を有する装置からの無線通信は拒否することを特徴とするトランシーバが提供される。
【００１７】
本発明の第２の観点によれば、第１のネットワーク装置に接続された第１のトランシーバと、該第１のネットワーク装置以外の第２のネットワーク装置に接続されている第２のトランシーバと、を含み、該第１のトランシーバ及び第２のトランシーバ間で通信を行う通信システムにおいて、前記第１のトランシーバ及び第２のトランシーバが上記本発明の第１の観点により提供されるトランシーバであることを特徴とする通信システムが提供される。
【００１８】
本発明の第３の観点によれば、第１のネットワーク装置に接続され、該第１のネットワーク装置以外の第２のネットワーク装置に接続されている他のトランシーバとの通信を行うトランシーバが行う通信方法であって、前記他のトランシーバと、有線接続により通信を行う有線通信ステップと、前記他のトランシーバと、無線接続により通信を行う無線通信ステップと、前記第１のネットワーク装置に前記有線通信ステップによる通信を行わせている際に、該有線接続経路上での障害発生を検知した場合に前記無線通信ステップによる通信に切り替えると共に前記他のトランシーバに対して有線接続経路上での障害を検知した旨を送出する第１の障害検知ステップと、前記第１のネットワーク装置に前記有線通信ステップによる通信を行わせている際に、前記他のトランシーバから有線接続経路上での障害を検知した旨を受信した場合に前記無線通信ステップによる通信に切り替える第２の障害検知ステップと、前記第１のネットワーク装置に前記無線通信ステップによる通信を行わせている際に、前記有線接続経路上での障害発生を検知しなくなった場合又は前記他のトランシーバからの障害を検知した旨を検知しなくなった場合に前記有線通信ステップによる通信に切り替える障害検知制御ステップと、を備えると共に、当該トランシーバと前記他のトランシーバは共通する無線設定を有しており、該両トランシーバ以外の異なる無線設定を有する装置からの無線通信は拒否することを特徴とする通信方法が提供される。
【発明の効果】
【００１９】
本発明によれば、単一ＳＦＰトランシーバ内に有線の主回線と無線の副回線を設け、主回線上で障害が発生した場合は、ＳＦＰトランシーバ内の副回線へ切り替えることから、主回線以外に物理ポートを占有せず、また、ケーブルの配線等の考慮をすることなく副回線を設けることが可能となる。
【図面の簡単な説明】
【００２０】
【図１】ＳＦＰトランシーバの具体的な実装例を表す図である。
【図２】本発明の実施形態の基本的構成を表すブロック図である。
【図３】本発明の実施形態の実装例を表す図である。
【図４】本発明の実施形態の通信について表す図（１／２）である。
【図５】本発明の実施形態の通信について表す図（２／２）である。
【図６】本発明の実施形態の基本的動作を表すフローチャート（１／３）である。
【図７】本発明の実施形態の基本的動作を表すフローチャート（２／３）である。
【図８】本発明の実施形態の基本的動作を表すフローチャート（３／３）である。
【図９】本発明の実施形態の回線切替に関するテーブルを表す図である。
【図１０】本発明の実施形態の変形例１の実装例を表す図である。
【図１１】本発明の実施形態の変形例１の基本的構成を表すブロック図である。
【図１２】本発明の実施形態の変形例１の基本的動作を表すフローチャート（１／２）である。
【図１３】本発明の実施形態の変形例１の基本的動作を表すフローチャート（２／２）である。
【図１４】本発明の実施形態の変形例２の基本的構成を表すブロック図である。
【図１５】本発明の実施形態の変形例２の実装例を表す図である。
【発明を実施するための形態】
【００２１】
次に、本発明の実施形態について図面を用いて詳細に説明する。
【００２２】
図２には本発明の実施形態であるＳＦＰトランシーバ１００の概要が表されている。ＳＦＰトランシーバ１００は、２芯ＳＦＰ光トランシーバに副回線用の無線ＬＡＮ機能を加えたトランシーバである。
【００２３】
具体的には、ＳＦＰトランシーバ１００は、光回線部１１０、無線ＬＡＮ（Local Area Network）回線部１２０、回線切替Ｓ／Ｗ１３０、障害検知部１４０、ＥＥＰＲＯＭ（Electrically Erasable Programmable Read-Only Memory）１５０及びＳＦＰコネクタ１６０を含む。
【００２４】
また、ＳＦＰトランシーバ１００は、本体装置３００のＳＦＰポート３１０に挿入され、本体装置３００が送受信するデータを処理する。ＳＦＰトランシーバ１００のデータの送受信先は対向ＳＦＰトランシーバ２００である。対向ＳＦＰトランシーバ２００は、ＳＦＰトランシーバ１００と同様の構成をしているため、その構成についての説明は省略し、図示に関しても一部省略する。また、対向ＳＦＰトランシーバ２００もＳＦＰトランシーバ１００と同様に本体装置３００以外の他の本体装置（図示は省略する）と接続されているものとする。
【００２５】
今回の説明では、ＳＦＰトランシーバ１００及び対向ＳＦＰトランシーバ２００の形状及び電気信号などの仕様はＳＦＰ  ＭＳＡ（Small Form-factor Pluggable Transceiver MultiSource Agreement）に準拠するものとする。なお、本体装置３００は具体的にはどのような装置であってもよい。また、ＳＦＰポート３１０の個数も任意の数であってよい。
【００２６】
ＳＦＰトランシーバ１００は、主回線として光回線部１１０を使用する。ここで、光回線部１１０は、光出力部１１１、光入力部１１２、デジタル／光信号変換部１１３、光／デジタル信号変換部１１４、光回線ベースバンドＩＣ１１５及びＬＯＳ検知部１１６を含む。
【００２７】
光回線部１１０は、本体装置３００が出力するデジタル信号データをＳＦＰコネクタ１６０及び回線切替Ｓ／Ｗ１３０を経由して受信する。そして、光回線部１１０は、受信したデジタル信号データをデジタル／光信号変換部１１３によって光信号データに変換し、光出力部１１１を介して対向ＳＦＰトランシーバ２００へ送信する。
【００２８】
また、光回線部１１０は、対向ＳＦＰトランシーバ２００が出力した光信号データを光入力部１１２で受信する。そして、光回線部１１０は、受信した光信号データを光／デジタル信号変換部１１４によってデジタル信号データに変換し、回線切替Ｓ／Ｗ１３０及びＳＦＰコネクタ１６０を経由して本体装置３００へ出力する。光回線部１１０のＬＯＳ検知部１１６は、光信号の受信状況を監視する。そして、受信状態から、光回線上に物理的な障害が発生したことを検知する。障害発生を検知した際は、ＬＯＳシグナルを障害検知制御部１４３へ送信する。
【００２９】
ＳＦＰトランシーバ１００は、副回線として無線ＬＡＮ回線部１２０を使用する。ここで、無線ＬＡＮ回線部１２０は、アンテナ１２１、Ｓ／Ｗ１２２、トランスミッタ１２３、周波数コントロール部１２４、レシーバ１２５、デジタル／無線信号変換部１２６、無線／デジタル信号変換部１２７及び無線ベースバンドＩＣ１２８を含む。
【００３０】
無線ＬＡＮ回線部１２０は、本体装置３００が出力するデジタル信号データをＳＦＰコネクタ１６０及び回線切替Ｓ／Ｗ１３０を経由して受信する。そして、無線ＬＡＮ回線部１２０は、受信したデジタル信号データをデジタル／無線信号変換部１２６によって無線信号データに変換し、周波数コントロール部１２４及びトランスミッタ１２３で最適な周波数に変換してアンテナ１２１から対向ＳＦＰトランシーバ２００へ送信する。
【００３１】
また、無線ＬＡＮ回線部１２０は、アンテナ１２１で受信した対向ＳＦＰトランシーバ２００の無線信号データを周波数コントロール部１２４及びレシーバ１２５を変換する。更に、無線ＬＡＮ回線部１２０は、変換したデータを無線／デジタル信号変換部１２７によってデジタル信号データに変換し、回線切替Ｓ／Ｗ１３０及びＳＦＰコネクタ１６０を経由して本体装置３００へ出力する。
【００３２】
ＳＦＰトランシーバ１００と対向ＳＦＰトランシーバ２００の間で使用する無線ＬＡＮ機能は、ＩＥＥＥ８０２．１１標準規格のアドホックモード通信である。そのため、無線ＬＡＮアクセスポイント等の中継装置を用いる必要はない。
【００３３】
なお、この構成はあくまで一具体例に過ぎず、無線ＬＡＮアクセスポイント等の中継装置を介さずにＳＦＰトランシーバ１００と対向ＳＦＰトランシーバ２００の間で直接信号の送受信が実現できるのであれば、他の無線ＬＡＮ規格に準拠するようにしてもよい。また、本実施形態では、無線ＬＡＮ接続のアドホックモード通信に限らず、Ｂｌｕｅｔｏｏｔｈ（登録商標）、赤外線通信などの規格に準拠して通信を実現するようにしてもよい。
【００３４】
ＳＦＰトランシーバ１００と対向ＳＦＰトランシーバ２００の無線ＬＡＮ接続に必要な無線設定１５１は、ＳＦＰトランシーバの製造段階でＥＥＰＲＯＭ１５０に格納される。なお、今回の説明では、ＩＥＥＥ８０２．１１標準規格のアドホックモード通信を想定しているので、無線設定１５１はＥＳＳＩＤ（Extended Service Set Identifier）と暗号キーの組合せとなる。
【００３５】
ＳＦＰトランシーバ１００が対向ＳＦＰトランシーバ２００と無線ＬＡＮ接続を確立する際に、無線設定１５１を使用する。ＳＦＰトランシーバ１００の無線設定１５１と対向ＳＦＰトランシーバ２００の無線設定２５１が同じ場合、無線ＬＡＮ接続が可能になる。互いの無線設定が異なれば、ＳＦＰトランシーバ１００と対向ＳＦＰトランシーバ２００間の無線ＬＡＮは正常に接続することができない。またＥＥＰＲＯＭ１５０の無線設定１５１は、本体装置３００のコンソール上で閲覧・変更することが可能である。なお、無線ＬＡＮ回線部１２０がＥＥＰＲＯＭ１５０の無線設定１５１を読み込んでいる最中は、本体装置３００のコンソール上で無線設定１５１を変更することができない。
【００３６】
回線切替Ｓ／Ｗ１３０は、主回線である光回線部１１０と、副回線である無線ＬＡＮ回線部１２０を切り替えるスイッチである。回線切替Ｓ／Ｗ１３０は、障害検知制御部１４３から回線切替信号を受信した際に、使用回線を切り替える。
【００３７】
障害検知部１４０は、障害検知パターン送出部１４１、障害検知パターン検知部１４２及び障害検知制御部１４３を有する。
【００３８】
障害検知制御部１４３は、ＬＯＳ検知部１１６からＬＯＳシグナルを受信し、障害検知パターン信号を生成する。また、障害検知制御部１４３は、ＬＯＳシグナルを受信した場合、又は対向ＳＦＰトランシーバ２００の障害検知パターン信号を受信した場合に、回線切替Ｓ／Ｗ１３０に光回線から無線ＬＡＮ回線へ切り替えるよう回線切替信号を送信する。
【００３９】
そして障害検知制御部１４３は、回線切替信号を送信後、ＬＯＳシグナル、又は対向ＳＦＰトランシーバ２００の障害検知パターン信号を受信しなくなった場合には、回線切替Ｓ／Ｗ１３０に無線ＬＡＮ回線から光回線へ切り替えるよう回線切替信号を送信する。なお、光回線の安定性を確認するために、ＬＯＳシグナル、又は障害検知パターン信号を受信しなくなって直ぐに回線切替信号を送信するのではなく、ＬＯＳシグナル、又は障害検知パターン信号を受信しなくなってから一定時間を経た後に回線切替信号を送信する。安定性を確認する時間については、ＬＯＳシグナル、又は障害検知パターン信号の送信間隔よりも長いものとする。すなわち、少なくとも複数回はＬＯＳシグナル、又は障害検知パターン信号を受信しないことを確認するものとする。
【００４０】
障害検知パターン送出部１４１は、障害検知制御部１４３で生成された障害検知パターン信号を対向ＳＦＰトランシーバ２００の障害検知パターン検知部２４２に対して送信する。一方、障害検知パターン検知部１４２は、対向ＳＦＰトランシーバ２００の障害検知制御部２４３で生成された障害検知パターン信号を受信し、障害検知制御部１４３へ通知する。
【００４１】
ＥＥＰＲＯＭ１５０は、ＳＦＰトランシーバの製造段階でメディアタイプ１５２、メーカ名１５３、無線設定１５１（ＥＳＳＩＤ・暗号キー）が格納される。ＥＥＰＲＯＭ１５０内の情報は、本体装置３００のコンソールで閲覧することができる。
【００４２】
ＳＦＰコネクタ１６０は、本体装置３００のＳＦＰポート３１０との接続部である。ＳＦＰトランシーバ１００は、ＳＦＰコネクタ１６０を介して本体装置３００のＳＦＰポート３１０と接続される。
【００４３】
次に、本実施形態について具体的な事例を用いて説明する。今回の説明では、２つのＳＦＰトランシーバ間をつなぐ２本の光ファイバケーブルのうち１本が切断された場合に、ＳＦＰトランシーバの使用回線が光回線から無線ＬＡＮ回線に切り替わる例を示す。
【００４４】
図３を参照すると、本例におけるＳＰＦトランシーバの具体的構造が４面図により表されている。具体的には、ＳＰＦコネクタを有する面を正面２７とした場合に、表面２４、裏面２５、側面２６が表されている。
【００４５】
無線アンテナ格納部２４ａは、無線アンテナの格納部であり、アンテナ２３の格納部に相当する。２芯光ファイバケーブル接続部２４ｂは、光ファイバケーブルとの接続部であり、光出力部１１１及び光入力部１１２に相当する部分と接続される。ＳＦＰコネクタ部２４ｃの形状はＳＦＰ  ＭＳＡに準拠しており、ＳＦＰ１６０に相当する。
【００４６】
図４は、本発明の実施形態であるＳＦＰトランシーバ３１の主回線から副回線の回線切替動作を表す図である。ネットワーク装置ＳＷＡ２８、ＳＷＢ２９及びＳＷＣ３０は、各々の接続ポートに本実施形態のＳＦＰトランシーバ３１を搭載している。そして、各ＦＰトランシーバ３１は、２芯の光ファイバケーブルである光ファイバケーブル３２で接続されている。また、主回線として光回線を使用し、副回線として無線ＬＡＮ回線を使用する。
【００４７】
１．まず、光ファイバケーブル３７においてケーブル切断が発生したとする。
【００４８】
２．この場合、ＳＷＡ２８のＳＦＰトランシーバ３４は、光ファイバケーブル３７上の物理障害に起因してＬＯＳシグナルを検知する。
【００４９】
３．そして、ＳＦＰトランシーバ３４は、使用回線を副回線の無線ＬＡＮ回線へと切り替える。併せてＳＦＰトランシーバ３４は、対向ＳＦＰトランシーバ３５向けへ障害検知パターン信号３６を送信する。障害検知パターン３６を受信した対向ＳＦＰトランシーバ３５は、使用回線を無線ＬＡＮ回線に切り替える。
【００５０】
これにより、ＳＦＰトランシーバ３４と対向ＳＦＰトランシーバ３５は、無線ＬＡＮ回線を使用して通信を継続する。無線ＬＡＮ回線は、無線アクセスポイントを必要としない１対１接続のアドホックモード通信３３を使用する。
【００５１】
図５を参照して本実施形態における無線ＬＡＮ回線接続について説明する。
【００５２】
前提として、ＳＦＰトランシーバ４０とＳＦＰトランシーバ４１が同じ無線設定を使用し、ＳＦＰトランシーバ４２とＳＦＰトランシーバ４３が同じ無線設定を使用しているものとする。
【００５３】
ＳＦＰトランシーバ４０とＳＦＰトランシーバ４１の無線設定は、ＳＦＰトランシーバ４２とＳＦＰトランシーバ４３の無線設定と異なるため、互いに無線ＬＡＮ接続できない。そのため、主回線で接続されていないＳＦＰトランシーバ間で無線ＬＡＮ接続が確立してしまうような不都合は生じないこととなる。
【００５４】
次に、本実施形態の動作を図６、図７及び図８のフローチャート並びに図９を参照して説明する。
【００５５】
図６は、本体装置３００からＳＦＰトランシーバ１００を経由してＳＦＰトランシーバ２００が搭載されている対向装置へデータを出力するフローを表す図である。
【００５６】
まず、本体装置３００が、ＳＦＰトランシーバ１００に対向装置宛のデータを入力する（ステップＳ４０１）。
【００５７】
そして、回線切替Ｓ／Ｗが使用回線に光回線を選択している場合（ステップＳ４０２において光回線）、デジタル信号データは光信号データへ変換され光回線経由で対向装置へ出力される。具体的には、光回線ベースバンドＩＣによりデータを変調する（ステップＳ４０３）。変調後のデータを、デジタル／光信号変換部１１３にて光信号に変換する（ステップＳ４０４）。光出力部１１１から対向装置へデータを出力する（ステップＳ４０５）。
【００５８】
一方、回線切替Ｓ／Ｗが使用回線に無線ＬＡＮ回線を選択している場合（ステップＳ４０２において無線ＬＡＮ回線）、デジタル信号データは無線信号データへ変換されアンテナ経由で対向装置へ出力される。具体的には、無線ベースバンドＩＣ１２８によりデータを変調する（ステップＳ４０６）。変調後のデータを、デジタル／無線信号変換部１２６にて無線信号に変換する（ステップＳ４０７）。アンテナ１２１から対向装置へデータを出力する（ステップＳ４０８）。
【００５９】
図７は、光回線から無線ＬＡＮ回線に切り替わるフローを表す図である。
【００６０】
まず、光回線を使用した通信を行う（ステップＳ５０１）。
【００６１】
障害検知部１４０が光回線部１１０からＬＯＳシグナルを検知した場合（ステップＳ５０２においてＹｅｓ）、障害検知部１４０は障害検知パターン信号を光回線へ送信する（ステップＳ５０３）。
【００６２】
また、障害検知部１４０は、回線切替Ｓ／Ｗ１３０に対し回線切替信号を送出する（ステップＳ５０４）。回線切替信号を受け取った回線切替Ｓ／Ｗ１３０は、使用回線を光回線から無線ＬＡＮ回線に変更する（ステップＳ５０５）。
【００６３】
一方、障害検知部が光回線からＬＯＳシグナルを検知せず（ステップＳ５０２においてＮｏ）、且つ、障害検知パターン信号を検知した場合（ステップＳ５０６においてＹｅｓ）、障害検知部１４０は、回線切替Ｓ／Ｗ１３０に対し回線切替信号を送出する（ステップＳ５０４）。回線切替信号を受け取った回線切替Ｓ／Ｗ１３０は、使用回線を光回線から無線ＬＡＮ回線に変更する（ステップＳ５０５）。
【００６４】
他方、障害検知部が光回線からＬＯＳシグナル及び障害検知パターン信号を検知しない場合（ステップＳ５０２及びステップＳ５０６の何れにおいてもＮｏ）、回線切替Ｓ／Ｗ１３０の回線切替動作は発生しない。
【００６５】
図８は、無線ＬＡＮ回線から光回線に切り替わるフローを表す図である。
【００６６】
まず、無線ＬＡＮ回線を使用した通信を行う（ステップＳ６０１）。
【００６７】
障害検知部１４０が光回線部１１０からＬＯＳシグナルを検知した場合（ステップＳ６０２においてＹｅｓ）、又は、障害検知パターン信号を検知した場合（ステップＳ６０３においてＹｅｓ）、回線切替Ｓ／Ｗ１３０の回線切替動作は発生しない。
【００６８】
光回線が一定時間安定しない場合も回線切替Ｓ／Ｗ１３０の回線切替動作は発生しない（ステップＳ６０４においてＮｏ）。
【００６９】
障害検知部が光回線からＬＯＳシグナル及び障害検知パターン信号を検知しない場合で（ステップＳ６０２及びステップＳ６０３の何れにおいてもＮｏ）、光回線が一定時間安定していれば（ステップＳ６０４においてＹｅｓ）、回線切替Ｓ／Ｗ１３０に対し回線切替信号を送出する（ステップＳ６０７）。
【００７０】
回線切替信号を受け取った回線切替Ｓ／Ｗ１３０は、使用回線を無線ＬＡＮ回線から光回線に変更する（ステップＳ６０８）。
【００７１】
また、対向ＳＰＦトランシーバ２００の障害検知パターン送出部２４１ではなく、障害検知部１４０の障害検知パターン送出部１４１が障害検知パターン信号を光回線に送出している場合は（ステップＳ６０５においてＹｅｓ）、回線切替Ｓ／Ｗ１３０に対し回線切替信号を送出する前に障害検知パターン信号を停止する（ステップＳ６０６）。
【００７２】
図９は、上述の各動作の結果、ＬＯＳシグナル及び障害検知パターン信号の受信状況により、回線切替Ｓ／Ｗ１３０を切り替える使用回線をテーブルとして表した図である。
【００７３】
次に、上述した本実施形態を変形した変形例について示す。
【００７４】
［変形例１］
変形例１として、一般的なＪ−４５コネクタのメタル回線ＳＦＰトランシーバに無線ＬＡＮ回線による通信機能を搭載した例を、図１０乃至図１３を参照して説明する。
【００７５】
図１０は、本実施例のＳＦＰトランシーバ４８，４９，５０，５１の物理構成例を表す図である。
【００７６】
図３を参照すると、本例におけるＳＰＦトランシーバの具体的構造が４面図により表されている。具体的には、ＳＰＦコネクタを有する面を正面２７とした場合に、表面２４、裏面２５、側面２６が表されている。
【００７７】
図１１は、主回線にメタル回線を、副回線に無線ＬＡＮ回線を持つＳＦＰトランシーバ１０１が対向ＳＦＰトランシーバ２０１と１対１で接続する構成を表す図である。
【００７８】
本変形例では、ＳＦＰトランシーバ１００のように光回線を用いるのではなく、電話線等に代表される電気信号を通すメタル回線を使用する。そのため、ＳＦＰトランシーバ１０１は、光回線部１０１に代わり、メタル回線部１７０を有する。また、メタル回線部１７０は出力部１７１、入力部１７２及びメタル回線部ＩＣ１７３を有する。
【００７９】
次に、図１２及び図１３のフローチャートを参照して本変形例の動作について説明する。
【００８０】
図１２は、メタル回線から無線ＬＡＮ回線に切り替わるフローを表す図である。
【００８１】
まず、メタル光回線を使用した通信を行う（ステップＳ７０１）。
【００８２】
次に、障害検知制御部１４３は、対向ＳＦＰトランシーバ２０１から送られるメタル回線上の信号の有無を確認する。信号がなければ（ステップＳ７０２においてＮｏ）、回線切替Ｓ／Ｗ５５に回線切替信号を送信し、無線ＬＡＮ回線に切り替わる。信号があれば、メタル回線の安定性を確認する一定時間を経て、回線切替Ｓ／Ｗ１３１に回線切替信号を送信する（ステップＳ７０３）。そして、回線切替Ｓ／Ｗ１３１が使用回線をメタル回線から無線ＬＡＮ回線に変更する（ステップ７０４）。
【００８３】
図１３は、無線ＬＡＮ回線からメタル回線の回線切替動作のフローを示す。本実施例の場合でも、本発明を適用できる。
【００８４】
まず、無線ＬＡＮ回線を使用した通信を行う（ステップＳ８０１）。
【００８５】
障害検知部１４０がメタル回線からデジタル信号を検知しない場合（ステップＳ８０２においてＮｏ）、回線切替Ｓ／Ｗ１３０の回線切替動作は発生しない。
【００８６】
メタル回線が一定時間安定しない場合も回線切替Ｓ／Ｗ１３１の回線切替動作は発生しない（ステップＳ８０３においてＮｏ）。
【００８７】
障害検知部がメタル回線からデジタル信号を検知した場合で（ステップＳ８０２においてＹｅｓ）、メタル回線が一定時間安定していれば（ステップＳ８０３においてＹｅｓ）、回線切替Ｓ／Ｗ１３１に対し回線切替信号を送出する（ステップＳ８０４）。
【００８８】
回線切替信号を受け取った回線切替Ｓ／Ｗ１３１は、使用回線を無線ＬＡＮ回線からメタル回線に変更する（ステップＳ８０５）。
【００８９】
［変形例２］
変形例２として、ＳＦＰトランシーバ内のＥＥＰＲＯＭ１５０の無線設定１５１に含まれるＥＳＳＩＤを任意に変更できるＤＩＰ  Ｓ／Ｗ（Dual In-line Package switch）を更に追加した例を図１４と図１５に示す。
【００９０】
図１４のブロック図を参照すると、ＳＦＰトランシーバ１０２の無線設定１５１に含まれるＥＳＳＩＤは、ＤＩＰ  Ｓ／Ｗ１５４によって変更することができる。同様に対向ＳＦＰトランシーバ２０２の無線設定２５１に含まれるＥＳＳＩＤは、ＤＩＰ  Ｓ／Ｗ２５４によって変更することができる。互いのＤＩＰ  Ｓ／Ｗにより、２つのＳＦＰトランシーバのＥＳＳＩＤをあわせなければ、正常に無線ＬＡＮ接続が確立できない。
【００９１】
図１５は、ＤＩＰ  Ｓ／Ｗ６４を実装する本発明ＳＦＰトランシーバ６３の物理構成例を表す図である。本例では、本体のコンソールがなくてもＳＦＰトランシーバのＤＩＰ  Ｓ／ＷでＥＳＳＩＤを変更することができるという効果を奏する。
【００９２】
なお、上述した変形例１と変形例２を組み合わせるようにしてもよい。すなわち、副回線をメタル回線として、更にＤＩＰ  Ｓ／Ｗを設けるようにしてもよい。
【００９３】
また、上述した実施形態は、本発明の好適な実施形態ではあるが、上記実施形態のみに本発明の範囲を限定するものではなく、本発明の要旨を逸脱しない範囲において種々の変更を施した形態での実施が可能である。
【００９４】
例えば、本発明の実施形態におけるトランシーバの形状は、ＳＦＰトランシーバに限らず、ＧＢＩＣトランシーバ、ＸＦＰトランシーバ、ＣＦＰトランシーバなどネットワーク装置で使用する他の規格のトランシーバにも適用できる。
【００９５】
また、本発明の実施形態における無線接続は、無線ＬＡＮ接続のアドホックモード通信に限らず、Ｂｌｕｅｔｏｏｔｈ（登録商標）、赤外線などの無線技術にも適用できる。
【００９６】
なお、上記のトランシーバは、ハードウェア、ソフトウェア又はこれらの組合わせにより実現することができる。また、上記のトランシーバにより行なわれる通信方法も、ハードウェア、ソフトウェア又はこれらに組合わせにより実現することができる。ここで、ソフトウェアによって実現されるとは、コンピュータがプログラムを読み込んで実行することにより実現されることを意味する。
【００９７】
プログラムは、様々なタイプの非一時的なコンピュータ可読媒体(non-transitory computer readable medium)を用いて格納され、コンピュータに供給することができる。非一時的なコンピュータ可読媒体は、様々なタイプの実体のある記録媒体(tangible storage medium)を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ(Read Only Memory)、ＣＤ−Ｒ、ＣＤ−Ｒ／Ｗ、半導体メモリ（例えば、マスクＲＯＭ、ＰＲＯＭ(Programmable ROM)、ＥＰＲＯＭ(Erasable PROM)、フラッシュＲＯＭ、ＲＡＭ(random access memory)）を含む。また、プログラムは、様々なタイプの一時的なコンピュータ可読媒体(transitory computer readable medium)によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００９８】
以上説明した本発明の実施形態は、以下に示すような多くの効果を奏する。
【００９９】
第１の効果は、装置のポートを有効活用することができることである。
【０１００】
その理由は、一つのＳＦＰトランシーバ内に主回線及び副回線を持つことで、副回線として使用していたポートを減らし、そのポートを他の用途で使用することができるからである。つまり、ポートを増設しなくても副回線を設けることができる。
【０１０１】
第２の効果は、ＳＦＰトランシーバ内の副回線を無線ＬＡＮにすることで、副回線の配線管理をする必要がないことである。
【０１０２】
第３の効果は、副回線に無線ＬＡＮのアドホックモード通信を使用することで、副回線に切り替わった場合でも有線接続と同じく１対１の接続を実現できることである。
【０１０３】
第４の効果は、ＳＦＰトランシーバ内に対向ＳＦＰトランシーバと無線接続するための設定を格納しているため、副回線の設定を意識する必要がないことである。
【０１０４】
第５の効果は、回線障害時の主回線と副回線の切替をシームレスに行うことができることである。有線回線上のＬＯＳシグナル、障害検知パターン信号により障害／復旧を検知し、回線を切り替えるからである。
【０１０５】
上記の実施形態の一部又は全部は、以下の付記のようにも記載されうるが、以下には限られない。
【０１０６】
（付記１）  第１のネットワーク装置に接続され、該第１のネットワーク装置以外の第２のネットワーク装置に接続されている他のトランシーバとの通信を行うトランシーバであって、
前記他のトランシーバと、有線接続により通信を行う有線通信手段と、
前記他のトランシーバと、無線接続により通信を行う無線通信手段と、
前記第１のネットワーク装置に前記有線通信手段による通信を行わせている際に、該有線接続経路上での障害発生を検知した場合に前記無線通信手段による通信に切り替えると共に前記他のトランシーバに対して有線接続経路上での障害を検知した旨を送出する第１の障害検知手段と、
前記第１のネットワーク装置に前記有線通信手段による通信を行わせている際に、前記他のトランシーバから有線接続経路上での障害を検知した旨を受信した場合に前記無線通信手段による通信に切り替える第２の障害検知手段と、
前記第１のネットワーク装置に前記無線通信手段による通信を行わせている際に、前記有線接続経路上での障害発生を検知しなくなった場合又は前記他のトランシーバからの障害を検知した旨を検知しなくなった場合に前記有線通信手段による通信に切り替える障害検知制御手段と、
を備えることを特徴とするトランシーバ。
【０１０７】
（付記２）  付記１に記載のトランシーバであって、
前記有線通信とは光信号を光回線上で送受信する通信方式であり、
前記光信号を受信する光入力手段と、
前記受信した光信号をデジタル信号に変換する信号変換手段と、
前記変換後の信号を監視することにより前記有線接続経路上での障害の検知を行うＬＯＳ検知手段と、
を更に備えることを特徴とするトランシーバ。
【０１０８】
（付記３）  付記１に記載のトランシーバであって、
前記有線通信とは電気信号をメタル回線上で送受信する通信方式であり、
前記電気信号を受信する入力手段と、
前記電気信号の有無を確認し、前記電気信号が存在しない場合に前記有線接続経路上で障害が発生したことを検知するメタル回線手段と、
を更に備えることを特徴とするトランシーバ。
【０１０９】
（付記４）  付記１乃至３の何れか１に記載のトランシーバであって、
前記第１の障害検知手段による前記障害を検知した旨の送出は、所定の送信間隔により定期的に行われ、
前記障害検知制御手段は、前記第１のネットワーク装置に前記無線通信手段による通信を行わせている際に、前記所定の送信間隔よりも長い時間前記他のトランシーバからの障害を検知した旨を検知しなくなった場合に前記有線通信手段による通信に切り替えることを特徴とするトランシーバ。
【０１１０】
（付記５）  付記１乃至４の何れか１に記載のトランシーバであって、
前記無線通信手段による前記他のトランシーバとの通信は、中継装置を介すことなく当該トランシーバと前記他のトランシーバとの間で行われる直接の通信であることを特徴とするトランシーバ。
【０１１１】
（付記６）  付記１乃至５の何れか１に記載のトランシーバであって、
当該トランシーバと前記他のトランシーバは共通する無線設定を有しており該両トランシーバ以外の装置からの無線通信は拒否することを特徴とするトランシーバ。
【０１１２】
（付記７）  付記６に記載のトランシーバであって、
当該トランシーバは複数の前記無線設定を記憶しており、無線通信において実際に利用する無線設定を前記複数の無線設定のなかから選択するためのスイッチを更に備えることを特徴とするトランシーバ。
【０１１３】
（付記８）  第１のネットワーク装置に接続された第１のトランシーバと、該第１のネットワーク装置以外の第２のネットワーク装置に接続されている第２のトランシーバと、を含み、該第１のトランシーバ及び第２のトランシーバ間で通信を行う通信システムにおいて、
前記第１のトランシーバ及び第２のトランシーバの双方又は片方が付記１乃至７の何れか１に記載のトランシーバであることを特徴とする通信システム。
【０１１４】
（付記９）  第１のネットワーク装置に接続され、該第１のネットワーク装置以外の第２のネットワーク装置に接続されている他のトランシーバとの通信を行うトランシーバが行う通信方法であって、
前記他のトランシーバと、有線接続により通信を行う有線通信ステップと、
前記他のトランシーバと、無線接続により通信を行う無線通信ステップと、
前記第１のネットワーク装置に前記有線通信ステップによる通信を行わせている際に、該有線接続経路上での障害発生を検知した場合に前記無線通信ステップによる通信に切り替えると共に前記他のトランシーバに対して有線接続経路上での障害を検知した旨を送出する第１の障害検知ステップと、
前記第１のネットワーク装置に前記有線通信ステップによる通信を行わせている際に、前記他のトランシーバから有線接続経路上での障害を検知した旨を受信した場合に前記無線通信ステップによる通信に切り替える第２の障害検知ステップと、
前記第１のネットワーク装置に前記無線通信ステップによる通信を行わせている際に、前記有線接続経路上での障害発生を検知しなくなった場合又は前記他のトランシーバからの障害を検知した旨を検知しなくなった場合に前記有線通信ステップによる通信に切り替える障害検知制御ステップと、
を備えることを特徴とする通信方法。
【符号の説明】
【０１１５】
１００、１０１、１０２  ＳＦＰトランシーバ
１１０  光回線部
１１１、２１１  光出力部
１１２、２１２  光入力部
１１３  デジタル／光信号変換部
１１４  光／デジタル信号変換部
１１５  光回線ベースバンドＩＣ
１１６  ＬＯＳ検知部１１６
１２０  無線ＬＡＮ回線部
１２１、２２１  アンテナ
１２２  Ｓ／Ｗ
１２３  トランスミッタ
１２４  周波数コントロール部
１２５  レシーバ
１２６  デジタル／無線信号変換部
１２７  無線／デジタル信号変換部
１２８  無線ベースバンドＩＣ
１３０、１３１  回線切替Ｓ／Ｗ
１４０  障害検知部
１４１、２４１  障害検知パターン送出部
１４２、２４２  障害検知パターン検知部
１４３、２４３  障害検知制御部
１５０  ＥＥＰＲＯＭ
１５１、２５１  無線設定
１５２  メディアタイプ
１５３  メーカ名
１５４、２５４  ＤＩＰ  Ｓ／Ｗ
１６０  ＳＦＰコネクタ
１７０  メタル回線部
１７１、２７１  出力部
１７２，２７２  入力部
１７３  メタル回線ＩＣ
２００、２０１、２０２  対向ＳＦＰトランシーバ
３００  本体装置
３１０  ＳＦＰポート
【図１】
0005881145.tif 000002
【図２】
0005881145.tif 000003
【図３】
0005881145.tif 000004
【図４】
0005881145.tif 000005
【図５】
0005881145.tif 000006
【図６】
0005881145.tif 000007
【図７】
0005881145.tif 000008
【図８】
0005881145.tif 000009
【図９】
0005881145.tif 000010
【図１０】
0005881145.tif 000011
【図１１】
0005881145.tif 000012
【図１２】
0005881145.tif 000013
【図１３】
0005881145.tif 000014
【図１４】
0005881145.tif 000015
【図１５】
0005881145.tif 000016